(57)【要約】【課題】肌の色を精度良く測定できる測定装置を提供する。【解決手段】測定装置は、色を測定する肌の測定領域に光を照射する光源と、前記測定領域からの反射光、又は、前記測定領域を透過した透過光を受光する受光手段と、前記受光手段の受光結果に基づき、判定情報及び前記測定領域の色に関する色情報を繰り返し求める演算手段と、前記判定情報の時間変化に基づき、前記繰り返し求めた前記色情報から前記肌の色の測定結果を選択する選択手段と、を備えている。【選択図】図４
2020151245.tif 000002
【特許請求の範囲】
【請求項１】
色を測定する肌の測定領域に光を照射する光源と、
前記測定領域からの反射光、又は、前記測定領域を透過した透過光を受光する受光手段と、
前記受光手段の受光結果に基づき、判定情報及び前記測定領域の色に関する色情報を繰り返し求める演算手段と、
前記判定情報の時間変化に基づき、前記繰り返し求めた前記色情報から前記肌の色の測定結果を選択する選択手段と、
を備えていることを特徴とする測定装置。
【請求項２】
前記選択手段は、前記判定情報の時間変化に基づき、前記測定装置が前記肌に接触したタイミングを判定し、前記判定したタイミングにおいて前記演算手段が求めた前記色情報を前記測定結果として選択することを特徴とする請求項１に記載の測定装置。
【請求項３】
前記選択手段は、前記測定装置を前記肌に接触せることで生じる前記判定情報の変化パターンを示す変化情報を保持しており、前記変化情報と前記判定情報の時間変化とを比較することで、前記測定装置が前記肌に接触したタイミングを判定することを特徴とする請求項２に記載の測定装置。
【請求項４】
前記選択手段は、前記判定情報が指数関数的に変化している期間を判定することで、前記測定装置が前記肌に接触したタイミングを判定することを特徴とする請求項２に記載の測定装置。
【請求項５】
前記選択手段は、前記判定情報が指数関数的に変化している期間の開始タイミングを、前記測定装置が前記肌に接触したタイミングと判定することを特徴とする請求項４に記載の測定装置。
【請求項６】
前記判定情報は、前記色情報の一部の情報であることを特徴とする請求項１から５のいずれか１項に記載の測定装置。
【請求項７】
前記色情報は、分光反射率であることを特徴とする請求項１から５のいずれか１項に記載の測定装置。
【請求項８】
前記色情報は、Ｌ＊ａ＊ｂ＊色空間の各色値であることを特徴とする請求項１から５のいずれか１項に記載の測定装置。
【請求項９】
前記判定情報は、ヘモグロビンにより吸収される波長、又は、ヘモグロビンにより吸収される波長範囲の分光反射率であることを特徴とする請求項１から８のいずれか１項に記載の測定装置。
【請求項１０】
前記判定情報は、ヘモグロビンにより吸収される波長範囲内の光の前記受光手段による受光量であることを特徴とする請求項１から８のいずれか１項に記載の測定装置。
【請求項１１】
前記判定情報は、Ｌ＊ａ＊ｂ＊色空間の色度ａ＊であることを特徴とする請求項１から８のいずれか１項に記載の測定装置。
【請求項１２】
前記測定装置は、前記測定領域に接触させる透光部材をさらに有し、
前記光源からの光は、前記透光部材を透過して前記測定領域を照射することを特徴とする請求項１１に記載の測定装置。
【請求項１３】
前記判定情報は、Ｌ＊ａ＊ｂ＊色空間の明度Ｌ＊であることを特徴とする請求項１から８のいずれか１項に記載の測定装置。
【請求項１４】
前記測定装置の筐体には、前記測定領域に対応する開口が設けられ、
前記測定装置は、前記筐体の前記開口の周囲の領域を、前記測定領域の周囲に接触させる様に構成されていることを特徴とする請求項１３に記載の測定装置。
【請求項１５】
前記受光手段の受光結果に基づき、前記肌の色の測定に関する前記測定装置の一連の状態のうちのいずれの状態であるかを検出して、前記検出した状態を前記測定装置のユーザに通知する通知手段をさらに備えていることを特徴とする請求項１から１４のいずれか１項に記載の測定装置。
【請求項１６】
前記受光手段は、
前記反射光又は前記透過光を波長に応じて分光する分光手段と、
それぞれが前記分光手段により分光された異なる波長を含む光を受光する複数の受光素子と、
を含むことを特徴とする請求項１から１５のいずれか１項に記載の測定装置。
【請求項１７】
色を測定する肌の測定領域に光を照射する光源と、
前記測定領域からの反射光、又は、前記測定領域を透過した透過光を受光する受光手段と、
１つ以上のプロセッサと、
を有する測定装置の前記１つ以上のプロセッサで実行されると、
前記測定装置に、
前記受光手段の受光結果に基づき、判定情報及び前記測定領域の色に関する色情報を繰り返し求めることと、
前記判定情報の時間変化に基づき、前記繰り返し求めた前記色情報から前記肌の色の測定結果を選択することと、
を実行させることを特徴とするプログラム。
【発明の詳細な説明】
【技術分野】
【０００１】
本発明は、肌の色の測定技術に関する。
【背景技術】
【０００２】
特許文献１は、測色計を用いて肌の色を測定する構成を開示している。特許文献１によると、小型軽量の測色計を用いることで過度に肌を圧迫することを防ぎ、これにより血流が滞って肌の色が測定により変化することを防いでいる。また、特許文献１は、必要に応じて測色計に押圧力センサを取り付ける構成も開示している。
【先行技術文献】
【特許文献】
【０００３】
【特許文献１】特許第３８１５９０３号公報
【発明の概要】
【発明が解決しようとする課題】
【０００４】
しかしながら、小型軽量の測色計を用いるだけでは、肌の圧迫による肌の色の変化を抑えて精度良く肌の色を測定することはできない。また、押圧力センサを取り付けると、測定装置の構成が複雑になり、測定装置のコストアップとなる。
【０００５】
本発明は、肌の色を精度良く測定できる測定装置及びプログラムを提供するものである。
【課題を解決するための手段】
【０００６】
本発明の一態様によると、測定装置は、色を測定する肌の測定領域に光を照射する光源と、前記測定領域からの反射光、又は、前記測定領域を透過した透過光を受光する受光手段と、前記受光手段の受光結果に基づき、判定情報及び前記測定領域の色に関する色情報を繰り返し求める演算手段と、前記判定情報の時間変化に基づき、前記繰り返し求めた前記色情報から前記肌の色の測定結果を選択する選択手段と、を備えていることを特徴とする。
【発明の効果】
【０００７】
本発明によると、肌の色を精度良く測定することができる。
【図面の簡単な説明】
【０００８】
【図１】一実施形態による測定システムの構成図。
【図２】測定装置の異なる態様と、測定装置のキャリブレーションを示す図。
【図３】肌の分光反射率の測定結果例を示す図。
【図４】一実施形態による肌の色の測定処理のフローチャート。
【図５】一実施形態による測定タイミングの判定処理の説明図。
【図６】一実施形態による測定タイミングの判定処理の説明図。
【図７】一実施形態による肌の色の測定処理のフローチャート。
【図８】表示画面例を示す図。
【発明を実施するための形態】
【０００９】
以下、添付図面を参照して実施形態を詳しく説明する。尚、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１０】
＜第一実施形態＞
図１は、本実施形態による測定システムの構成図である。測定システムは、測定装置１１０と、測定装置１１０と有線又は無線により通信する操作端末１３０と、を備えている。測定装置１１０の制御部１１１は、ＣＰＵを有し、測定装置１１０の全体を制御する。記憶部１１２は、ＲＯＭやＲＡＭであり、制御部１１１は、記憶部１１２に格納されている制御プログラムを実行して測定装置１１０を制御する。また、記憶部１１２には、制御部１１１がその制御において使用するデータや、一時的に記憶すべきデータも記憶される。通信部１１３は、操作端末１３０と有線又は無線により通信する。通知部１１４は、ＬＥＤやブザー等、ユーザに測定装置１１０の動作状態を通知するためのデバイスである。操作部１１５は、プッシュスイッチなど、測定装置１１０のユーザが操作可能なデバイスである。
【００１１】
光源１１６は、白色ＬＥＤであり、ＤＡ変換部１１７が出力する電圧に応じた強度の光を射出する。分光部１１８は、プリズムや回折格子等であり、受光する光を波長に応じて分光し、波長分散光として出力する。受光素子１１９は、例えば、複数の画素を有するラインセンサであり、各画素は、分光部１１８が出力する波長分散光の所定の波長を含む光を受光し、受光量に応じた電圧を出力する。例えば、受光素子１１９の各画素は、１０ｎｍの波長幅の光を受光する様に測定装置１１０は構成されている。なお、分光部１１８及び受光素子１１９は分光測色計（分光センサ）を構成している。或いは、光源１１６、分光部１１８及び受光素子１１９は分光測色計を構成している。ＡＤ変換部１２０は、受光素子１１９が出力する各画素の受光量を示す電圧をデジタル値に変換する。測定装置１１０の上記各機能ブロックは、バス１２３で接続されており、相互に通信可能となっている。二次電池１２２は、測定装置１１０を駆動するための電源であり、例えばリチウンイオン電池を利用することができる。なお、測定装置１１０と操作端末１３０を有線で接続する場合、操作端末１３０が測定装置１１０の動作電力を供給する構成とすることもできる。この場合、二次電池１２２を省略することができる。
【００１２】
操作端末１３０の制御部１３１は、ＣＰＵを有し、操作端末１３０の全体を制御する。記憶部１３２は、ＲＯＭやＲＡＭであり、制御部１３１は、記憶部１３２に格納されている制御プログラムを実行して操作端末１３０を制御する。また、記憶部１３２には、制御部１３１がその制御において使用するデータや、一時的に記憶すべきデータも記憶される。通信部１３３は、測定装置１１０と有線又は無線により通信する。表示部１３４は、ディスプレイ等の表示装置であり、測定装置１１０の状態や、測定結果等を表示する。操作部１３５は、キーボード、マウス、タッチパネルディスプレイ等であり、ユーザは操作部１３５を介して操作端末１３０を操作する。操作端末１３０の各機能ブロックは、バス１３６で接続されており、相互に通信可能となっている。操作端末１３０は、専用の装置として構成することも、ＰＣ、タブレット、スマートフォン等の装置を利用して構成することもできる。
【００１３】
図２（Ａ）及び図２（Ｂ）は、測定装置１１０の異なる態様を示している。図２（Ａ）の測定装置１１０の筐体には、透光部材であるアクリル板２０４が設けられる。筐体内の光源１１６が射出する照射光２０１は、アクリル板２０４を透過して、肌２００の測定領域２０９を照射する。また、測定領域２０９からの反射光２０２は、アクリル板２０４を透過して、筐体内の分光部１１８に入射する。一方、図２（Ｂ）の測定装置１１０の筐体には、測定領域２１０に対応する開口部２０５が設けられる。筐体内の光源１１６が射出する照射光２０１は、開口部２０５を通過しして、肌２００の測定領域２１０を照射する。また、測定領域２１０からの反射光２０２は、開口部２０５を通過して、筐体内の分光部１１８に入射する。
【００１４】
いずれの態様であっても、測定時、測定装置１１０を肌２００に接触させる。アクリル板２０４を設けた測定装置１１０の場合、アクリル板２０４を肌２００の測定領域２０９に接触させる。アクリル板２０４が肌２００を圧迫すると、人体の血流が滞り、図２（Ａ）の符号２０３に示す様に、血液は測定領域２０９から離れる様に移動する。そのため、測定領域２０９は白く変色する。一方、開口部２０５を設けた測定装置１１０の場合、開口部２０５の周囲の筐体部分を肌２００の測定領域２１０の周囲に接触させる。開口部２０５の周囲の筐体部分が肌２００を圧迫すると、図２（Ｂ）の符号２０６に示す様に、血液は、圧迫されていない測定領域２１０に向けて移動する。そのため、測定領域２１０は赤く変色する。この様に、いずれの態様であっても、測定時、肌２００の測定領域の色は、測定装置１１０を接触させていない状態のときの色から変化する。図３は、肌２００の分光反射率を測定した結果の一例を示している。図３の点線は、適切な押圧力で測定した分光反射率を示し、実線は、アクリル板２０４による押圧力が過大となり、肌が白く変色した状態で測定した分光反射率を示している。
【００１５】
図４は、本実施形態の測定システムによる肌の色の測定処理のフローチャートである。なお、本実施形態において、測定装置１１０は、図２（Ａ）に示すアクリル板２０４を設けたものとする。図４に示す処理は、測定システムの操作者が操作部１１５又は１３５を操作して、測定装置１１０に測定開始を指示することで開始される。測定開始後、例えば、通知部１１４による通知、或いは、表示部１３４による表示内容に従い、操作者又は被測定者は、被測定者の肌２００の測定領域２０９に測定装置１１０のアクリル板２０４を接触させる。なお、以下の説明においては、測定システムの操作者と肌の色が測定される被測定者とを異なる人としているが、同じ人であっても良い。また、操作者及び被測定者を纏めてユーザと表現する。
【００１６】
測定開始の指示を受けると、測定装置１１０の制御部１１１は、Ｓ１００で、光源１１６を測定用の強度で発光させる。続いて、制御部１１１は、Ｓ１０１で、ＡＤ変換部１２０から、受光素子１１９が受光した各波長の光の受光量を取得する。制御部１１１は、Ｓ１０２で、各波長の光の受光量に基づき、各波長の分光反射率を求め、さらに、各波長の分光反射率から色情報、例えば、Ｌ＊ａ＊ｂ＊色空間の明度Ｌ＊、色度ａ＊、及び、色度ｂ＊の各色値を演算して求める。制御部１１１は、求めた色情報を記憶部１１２に記憶する。
【００１７】
その後、制御部１１１は、Ｓ１０３で、後述する測定タイミングの判定処理を行う。続いて、制御部１１１は、Ｓ１０４で、測定タイミングを判定できたか否かを判定する。測定タイミングを判定できた場合、制御部１１１は、処理をＳ１０５に進める。一方、測定タイミングを判定できない場合、制御部１１１は、処理をＳ１０６に進める。Ｓ１０５において、制御部１１１は、記憶部１１２に記憶された色情報の内、判定した測定タイミングにおいて測定された色情報を選択する。そして、選択した色情報を記憶部１１２から読み出し、これを肌の色の測定結果を示す測定情報として操作端末１３０に出力する。その後、制御部１１１は、Ｓ１０８で、光源１１６の発光を停止させて、図４の処理を終了する。
【００１８】
一方、Ｓ１０６において、制御部１１１は、エラー判定を行う。制御部１１１は、例えば、Ｓ１００での発光開始から所定時間が経過しても測定タイミングの判定ができない場合、タイムアウトエラーが発生したと判定することができる。また、ステップＳ１０１で検出した各波長の光の受光量が正常範囲から外れていることが所定回数繰り返された場合にもエラーが発生したと判定することができる。制御部１１１は、Ｓ１０６でエラーが生じていると判定すると、Ｓ１０７に処理を進める。一方、Ｓ１０６でエラーが生じていないと判定すると、制御部１１１は、Ｓ１０１から処理を繰り返す。Ｓ１０７において、制御部１１１は、判定したエラーの内容を示すエラー情報を操作端末１３０へ出力し、Ｓ１０８で、光源１１６の発光を停止させて、図４の処理を終了する。
【００１９】
図５（Ａ）及び図５（Ｂ）は、図４のＳ１０３における測定タイミングの判定処理の説明図である。図５（Ａ）は、Ｓ１０１からＳ１０６の繰り返し処理の各回のＳ１０２で取得した色情報のうちの色度ａ＊の値の時間変化を示している。なお、図５（Ａ）及び図５（Ｂ）の時刻ｔ０は、測定処理を開始した時刻（Ｓ１００）である。また、時刻ｔ１は、測定装置１１０を被測定者の肌２００に接触させたタイミングである。測定装置１１０のアクリル板２０４を肌２００に接触させたことで、時刻ｔ１〜時刻ｔ２の間、色度ａ＊は大きく変動している。そして、時刻ｔ２から、色度＊ａは、指数関数的に減少している。時刻ｔ２以降の色度ａ＊の変化は、図２（Ａ）を用いて説明した様に、血液が測定領域２０９から離れる様に移動していることに起因している。
【００２０】
図５（Ａ）の時刻ｔ２より前の期間は、肌２００を測定していない期間と、アクリル板２０４を肌２００に接触させたことにより測定値が大きく変化している期間である。したがって、時刻ｔ２より前のＳ１０２で取得した色情報は、肌２００の色を適切に示すものではない。また、時刻ｔ２より後の期間は、血液の移動により肌２００の色が白く変化している期間である。したがって、時刻ｔ２より後のＳ１０２で取得した色情報は、肌２００の色を適切に示すものではない。したがって、図５（Ａ）の参照符号５０１で示す時刻ｔ２で取得された色情報が、肌２００の色を最も良く示すものとなる。図４のＳ１０３で行う測定タイミングの判定処理とは、判定情報として色度ａ＊を使用し、判定情報である色度ａ＊が指数関数的に減少し始める時刻ｔ２のタイミングを判定する処理である。以下、判定情報に基づき、どの様に測定タイミングを判定するかについて説明する。
【００２１】
まず、制御部１１１は、例えば、時刻ｔで取得した色度ａ＊（ｔ）から、時刻（ｔ−３）で取得した色度ａ＊（ｔ−３）を減じた差分値ｄｉｆｆ（ａ＊）を求める。なお、時刻（ｔ−３）とは、図４のＳ１０１からＳ１０６の繰り返しで３回前との意味である。つまり、ある回のＳ１０２で求めた色度ａ＊をａ＊（ｔ）とすると、その３回前のＳ１０２で求めた色度ａ＊が、色度ａ＊（ｔ−３）である。図５（Ｂ）は、ｄｉｆｆ（ａ＊）の時間変化を示している。図５（Ｂ）に示す様に、色度ａ＊が指数関数的に減少している期間５０３において、ｄｉｆｆ（ａ＊）は、負の値をとり続ける。制御部１１１は、所定期間以上、負の値のｄｉｆｆ（ａ＊）が継続している時間区間を探索し、探索した時間区間の開始時刻を測定タイミングと判定する。そして、制御部１１１は、記憶部１１２に記憶した各回のＳ１０２で取得した色情報のうち、判定した測定タイミングで取得した色情報を操作端末１３０に通知する。
【００２２】
以上、判定情報及び色情報を繰り返し取得して記憶部１１２に記憶する。なお、本実施形態において、判定情報は、色度ａ＊の色値であり、色情報は、明度Ｌ＊、色度ａ＊、及び、色度ｂ＊それぞれの色値である。この様に、本実施形態において、判定情報は、色情報の一部の情報である。そして、制御部１１１は、繰り返し取得した判定情報の時間変換から、事後的に、最も適切な測定タイミングを判定する。そして、判定した測定タイミングにおいて取得した色情報を、肌２００の色の測定結果を示す測定情報とする。この構成により、測定装置１１０が肌２００を圧迫することによる肌２００の色の変化の影響を抑えた精度の良い測定結果をユーザに提示することができる。また、測定装置１１０の構成を複雑にし、かつ、コストを高くする押圧力センサを取り付ける必要もない。
【００２３】
＜第二実施形態＞
続いて、第二実施形態について、第一実施形態との相違点を中心に説明する。本実施形態では、図２（Ｂ）に示す開口部２０５を設けた測定装置１１０を使用する。なお、測定処理のフローチャートは第一実施形態と同様である。図６（Ａ）〜図６（Ｃ）は、本実施形態による測定タイミングの判定処理の説明図である。なお、時刻ｔ０、ｔ１及びｔ２の意味は、第一実施形態と同様である。図６（Ｃ）は、色度ａ＊の時間変化を示している。上述した様に、開口部２０５を設けた測定装置１１０では、血液が測定領域２１０へ移動するため、測定領域２１０は赤く変化する。このため、図６（Ｃ）に示す様に、色度ａ＊は単調に増加する。したがって、色度ａ＊の時間変化から測定タイミングを判定することはできない。つまり、色度ａ＊を判定情報として利用することはできない。
【００２４】
このため、本実施形態では、判定情報として明度Ｌ＊を使用する。図６（Ａ）は、明度Ｌ＊の時間変化を示している。図６（Ａ）に示す様に、測定装置１１０の筐体を肌２００に接触させた影響により、明度Ｌ＊は、時刻ｔ１からｔ２までの間、大きく変動している。そして、明度Ｌ＊は、時刻ｔ２から指数関数的に減少している。したがって、測定タイミングは、明度Ｌ＊が指数関数的に減少を開始する時刻ｔ２を判定することで判定される。
【００２５】
このため、本実施形態でも、第一実施形態と同様に、制御部１１１は、ｄｉｆｆ（Ｌ＊）を求める。図６（Ｂ）は、ｄｉｆｆ（Ｌ＊）の時間変化を示している。図６（Ｂ）に示す様に、明度Ｌ＊が指数関数的に減少している期間６０３において、ｄｉｆｆ（Ｌ＊）は、負の値をとり続ける。制御部１１１は、所定期間以上、負の値のｄｉｆｆ（Ｌ＊）が継続している時間区間を探索し、探索した時間区間の開始時刻を測定タイミングに決定する。
【００２６】
以上、測定装置１１０の態様に応じて、測定装置１１０を肌２００に接触させたことによる肌２００の色の変化の態様は異なる。しかしながら、測定装置１１０の態様に応じた適切な判定情報を使用することで、適切な測定タイミングを判定することができる。
【００２７】
＜第三実施形態＞
続いて、第三実施形態について、第一実施形態及び第二実施形態との相違点を中心に説明する。図２（Ｃ）は、測定装置１１０のキャリブレーションを行っている状態を示している。例えば、測定装置１１０のケース２０８に白色基準板２０７を設ける。なお、白色基準板２０７は、測定装置１１０をケースに収納した際に、光源１１６が射出する光により照射され、その反射光が分光部１１８に入射する様に設けられる。制御部１１１は、例えば、ユーザ操作により測定開始指示を受けると、まず、キャリブレーションを実行し、キャリブレーションの完了後、肌の色の測定を行う。なお、キャリブレーションは、光源１１６を発光させ、白色基準板２０７からの反射光量の受光結果に基づき、既知の手法により行われる。
【００２８】
図７は、本実施形態における肌の色の測定処理のフローチャートである。なお、図４で説明したフローチャートと同様の処理ステップについては、同じステップ番号を付与して、その説明については省略する。制御部１１１は、Ｓ１００で、光源１１６を発光させると、Ｓ２００で、図２（Ｃ）に示す様に、キャリブレーションを行う。制御部１１１は、Ｓ２０１で、キャリブレーションが成功したか否かを判定する。例えば、測定装置１１０がケース２０８へ格納されておらず、受光素子１１９が反射光を受光しない場合、制御部１１１は、キャリブレーションが不成功であると判定することができる。また、受光素子１１９が反射光を受光したが、各波長の光の受光量が予め決められた範囲内でない場合、制御部１１１は、キャリブレーションが不成功であると判定することができる。制御部１１１は、キャリブレーションが不成功であると判定すると、Ｓ２０２でエラー処理を実行する。例えば、制御部１１１は、通知部１１４のＬＥＤやブザー等を用いて、キャリブレーションのエラーが生じたことをユーザに通知することができる。また、制御部１１１は、操作端末１３０にキャリブレーションエラーが生じたことを通知することができる。エラー処理後、制御部１１１は、光源１１６の発光を停止させて、図７の処理を終了する。
【００２９】
キャリブレーション成功と判定すると、制御部１１１は、Ｓ２０３で、キャリブレーションの成功を通知する。例えば、制御部１１１は、通知部１１４のＬＥＤやブザー等を用いて、キャリブレーションの成功をユーザに通知すると共に、操作端末１３０へキャリブレーションの成功を通知することができる。続いて、制御部１１１は、Ｓ２０４で、測定装置１１０の持ち上げを検知するまで待機する。持ち上げとは、測定装置１１０のユーザが測定装置１１０をケース２０８から持ち上げて取り出したことを意味する。制御部１１１は、受光素子１１９の各波長の光の受光量、或いは、受光量から求められる各波長の分光反射率それぞれが閾値より低くなったことを検知すると、測定装置１１０がケース２０８から持ち上げられたと判定することができる。また、測定装置１１０に不図示のジャイロを設けておき、このジャイロの出力結果によって測定装置１１０がケース２０８から持ち上げられたことを検知することができる。制御部１１１は、測定装置１１０の持ち上げを検知すると、Ｓ２０５において、測定中であることを、操作端末１３０に通知する。その後、制御部１１１は、Ｓ２０６において、図４のＳ１０１〜Ｓ１０７を実行し、Ｓ１０８において、光源１１６の発光を停止させて、図７の処理を終了する。
【００３０】
図８は、操作端末１３０の表示部１３４に表示される画面例を示している。図８（Ａ）は、測定装置１１０のユーザに、キャリブレーション中であることを通知するための画面例であり、図７のＳ２００において表示部１３４に表示される。図８（Ｂ）は、測定装置１１０のユーザに、キャリブレーションエラーが生じたことを通知するための画面例であり、Ｓ２０２において表示部１３４に表示される。図８（Ｃ）は、測定装置１１０のユーザに、キャリブレーション成功を通知するための画面例であり、Ｓ２０３において表示部１３４に表示される。
【００３１】
図８（Ｄ）は、測定装置１１０のユーザに、測定中であることを通知するための画面例であり、図７のＳ２０５と、図４のＳ１０１〜Ｓ１０４及びＳ１０６の繰り返しを行っている間、表示部１３４に表示される。図８（Ｅ）は、測定装置１１０のユーザに、測定中であることを通知するための他の画面例であり、測定領域についてもユーザに通知している。なお、複数の箇所を測定する場合、測定領域を順に表示する構成とすることができる。図８（Ｆ）は、測定装置１１０のユーザに、測定エラーを通知するための画面例であり、図４のＳ１０７において表示部１３４に表示される。図８（Ｇ）は、測定装置１１０のユーザに、測定完了を通知するための画面例であり、Ｓ１０５において表示部１３４に表示される。
【００３２】
以上、測定装置１１０は、受光素子１１９の受光結果に基づき、測定に関する測定装置１１０の一連の状態のうちのいずれの状態であるかを検出する。そして、制御部１１０は、検出した状態を、直接、或いは、操作端末１３０を介してユーザに通知する。これにより、ユーザは、測定装置１１０を容易に取り扱うことができる。
【００３３】
＜その他の実施形態＞
なお、第一実施形態や、第二実施形態では、判定情報として、色度ａ＊や、明度Ｌ＊を使用していた。しかしながら、血液の移動による色の変化を判定できる任意の情報を判定情報として使用することができる。例えば、波長５４０〜５８０ｎｍの光は、血液に含まれるヘモグロビンにより吸収される。したがって、波長５４０〜５８０ｎｍの各波長の分光反射率や受光量、或いは、波長５４０〜５８０ｎｍの波長範囲内の、所定の波長の分光反射率や受光量を判定情報とし、これらの値が所定パターンに従って変化し始める時間を測定タイミングとすることができる。
【００３４】
また、第一実施形態及び第二実施形態では、時刻ｔと時刻（ｔ−３）との差分、つまり、図４のＳ１０１からＳ１０６の繰り返しにおいて、３回前の測定結果との差分により測定タイミングを判定していた。しかしながら、差分を求める２つの測定結果の時間差については、他の値とすることができる。さらに、差分を求めるのではなく、判定情報の時間変化そのものから測定タイミングを判定する構成とすることもできる。例えば、血液の移動による肌の色の変化に伴う、判定情報の変化パターンを示す変化情報を求めて記憶部１１２に保持させておく。そして、測定した判定情報の時系列データの各時間区間と、変化情報が示す変化パターンとを比較し、最も類似している時間区間の開始タイミングを測定タイミングに決定することもできる。
【００３５】
また、上記実施形態において、色情報を、Ｌ＊ａ＊ｂ＊色空間の明度Ｌ＊、色度ａ＊、及び、色度ｂ＊の各色値としていたが他の色空間の色値であっても良い。さらに、各波長の分光反射率を色情報とすることもできる。なお、色情報と判定情報は、異なる情報であっても重複する情報であっても良い。例えば、第一実施形態及び第二実施形態において、判定情報は、明度Ｌ＊又は色度ａ＊でり、色情報は、明度Ｌ＊、色度ａ＊、及び、色度ｂ＊であった。つまり、第一実施形態及び第二実施形態において、色情報と判定情報は重複する情報、より詳しくは、判定情報は、色情報の一部の情報であった。しかしながら、判定情報として明度Ｌ＊又は色度ａ＊を使用し、色情報として、分光反射率を使用することができる。この場合、色情報と判定情報は、異なる情報である。さらに、判定情報として所定波長の分光反射率や受光量を使用し、色情報として、明度Ｌ＊、色度ａ＊、及び、色度ｂ＊を使用することができる。この場合も、色情報と判定情報は、異なる情報である。さらに、第一実施形態及び第二実施形態は、測定領域からの反射光を受光していたが、測定領域を透過した透過光を分光部１１８に入射させる構成とすることもできる。
【００３６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００３７】
発明は上記実施形態に制限されるものではなく、発明の精神及び範囲から離脱することなく、様々な変更及び変形が可能である。従って、発明の範囲を公にするために請求項を添付する。
【符号の説明】
【００３８】
１１６：光源、１１８：分光部、１１９：受光素子、１１１：制御部
【図１】
2020151245.tif 000003
【図２】
2020151245.tif 000004
【図３】
2020151245.tif 000005
【図４】
2020151245.tif 000006
【図５】
2020151245.tif 000007
【図６】
2020151245.tif 000008
【図７】
2020151245.tif 000009
【図８】
2020151245.tif 000010